(57)【要約】【課題】本発明は、極めて商品価値の高い画期的なグリップの握りを補助する付属構造を提供することを目的とする。【解決手段】グリップ１の握りを補助する付属構造であって、前記グリップ１の表面から突出し、グリップ１を握持する２本の指同士で挟み込む挟み込み体２と、この挟み込み体２に設けられ、挟み込み体２を２本の指同士で挟み込んだ際に該２本の指の外側に係止される係止体３とから成り、該係止体３と前記グリップ１とで前記挟み込み体２を挟み込んだ２本の指を保持し得るように構成されたものである。【選択図】　　　　図１
2004081821.tif 000002
【特許請求の範囲】
【請求項１】
グリップの握りを補助する付属構造であって、前記グリップの表面から突出し、グリップを握持する２本の指同士で挟み込む挟み込み体と、この挟み込み体に設けられ、挟み込み体を２本の指同士で挟み込んだ際に該２本の指の外側に係止される係止体とから成り、該係止体と前記グリップとで前記挟み込み体を挟み込んだ２本の指を保持し得るように構成されていることを特徴とするグリップの握りを補助する付属構造。
【請求項２】
請求項１記載のグリップの握りを補助する付属構造において、前記グリップと係止体の対向間隔を可変可能に構成したことを特徴とするグリップの握りを補助する付属構造。
【請求項３】
請求項１，２のいずれか１項に記載のグリップの握りを補助する付属構造において、前記グリップと係止体の対向間隔を所定間隔に固定し得る固定手段を設けたことを特徴とするグリップの握りを補助する付属構造。
【請求項４】
請求項１〜３のいずれか１項に記載のグリップの握りを補助する付属構造において、前記挟み込み体を適宜な長尺部材で構成したことを特徴とするグリップの握りを補助する付属構造。
【請求項５】
請求項１〜４のいずれか１項に記載のグリップの握りを補助する付属構造において、前記グリップはスキーで使用されるストックを構成するポール部材に設けられるグリップであることを特徴とするグリップの握りを補助する付属構造。
【発明の詳細な説明】
【０００１】
【発明の属する技術分野】
本発明は、グリップの握りを補助する付属構造に関するものである。
【０００２】
【従来の技術及び発明が解決しようとする課題】
スキーで使用されるストックのグリップには、手とグリップとの分離を防ぐ為、紐体（通称：ストラップ）が設けられているが、このストラップは手とグリップとを完全に一体化固定するものではないから、例えば雪面を突いて強い衝撃を受けた際や雪面を突き損なった際など、滑走中にグリップを握持する手が不意に開いてしまうと、手からグリップが脱落してしまう（ストラップの存在によりストックを雪面に落として置き去りにしてしまうことはない。）。
【０００３】
つまり、このストラップは、ストックを雪面に落として置き去りにしてしまうのを防止するものに過ぎず、この場合、この脱落させたグリップを握り直す行為は、滑走バランスを崩し易く、よって、転倒の原因となり危険であるのは勿論、競技中であれば大きなタイムロスとなり、技術検定中であれば減点の対象となってしまう。また、このストラップだけでは手とグリップとの一体感が少ないとされる。
【０００４】
そこで、従来、手からグリップが脱落するのを防止し得る構造（以下、従来例という。）が提案されている。
【０００５】
この従来例は、グリップを握持する手の手首部分をホールドするホールド体を設けた構造であり、このホールド体は、樹脂製のグリップの形成時に一体成形される。
【０００６】
この従来例であれば、仮にグリップを握持する手を開いても、常にグリップを手の内側所定位置に保持しておくことができ、よって、手からグリップが脱落することが可及的に防止され、すぐにグリップの握り直しが可能である。
【０００７】
ところが、従来例は、雪面にストックを突こうとして手首を曲げる際など、常に手や手首に拘束感（違和感）がある為、ストックワークに支障を来たしてしまい、しかも、リフトに乗る際や持ち運びの際など邪魔となる場合がある為、一般のスキーヤーにとっては不適であり、更に、従来例においてもやはり手とグリップとの良好な一体感が得られない。
【０００８】
本出願人は、上述の問題点に着目し、極めて商品価値の高い画期的なグリップの握りを補助する付属構造を開発した。
【０００９】
【課題を解決するための手段】
添付図面を参照して本発明の要旨を説明する。
【００１０】
グリップ１の握りを補助する付属構造であって、前記グリップ１の表面から突出し、グリップ１を握持する２本の指同士で挟み込む挟み込み体２と、この挟み込み体２に設けられ、挟み込み体２を２本の指同士で挟み込んだ際に該２本の指の外側に係止される係止体３とから成り、該係止体３と前記グリップ１とで前記挟み込み体２を挟み込んだ２本の指を保持し得るように構成されていることを特徴とするグリップの握りを補助する付属構造に係るものである。
【００１１】
また、請求項１記載のグリップの握りを補助する付属構造において、前記グリップ１と係止体３の対向間隔を可変可能に構成したことを特徴とするグリップの握りを補助する付属構造に係るものである。
【００１２】
また、請求項１，２のいずれか１項に記載のグリップの握りを補助する付属構造において、前記グリップ１と係止体３の対向間隔を所定間隔に固定し得る固定手段を設けたことを特徴とするグリップの握りを補助する付属構造に係るものである。
【００１３】
また、請求項１〜３のいずれか１項に記載のグリップの握りを補助する付属構造において、前記挟み込み体２を適宜な長尺部材で構成したことを特徴とするグリップの握りを補助する付属構造に係るものである。
【００１４】
また、請求項１〜４のいずれか１項に記載のグリップの握りを補助する付属構造において、前記グリップ１はスキーで使用されるストック４を構成するポール部材５に設けられるグリップ１であることを特徴とするグリップの握りを補助する付属構造に係るものである。
【００１５】
【発明の作用及び効果】
本発明は、グリップ１を握持し、グリップ１から突出する挟み込み体２をグリップ１を握持する２本の指同士で挟み込み、この挟み込み体２に設けられた係止体３を当該指の外側に係止させると、この係止体３とグリップ１とで挟み込み体２を挟んだ指が保持された状態となる。
【００１６】
従って、手とグリップ１とに非常に強い一体感（密着感）が得られることになり、このことから、グリップ１が設けられる例えばスキーで使用されるストックであれば、振り抜き動作の際にストック全体が軽く感じられるようになり、思い通りの素早いストックワークが可能となる。
【００１７】
また、仮にこのグリップ１を握持する手を開いたとしても、手からグリップ１が脱落することが可及的に防止される。
【００１８】
具体的には、例えばスキーで使用されるストックのグリップ１に適用した場合、雪面を突いて強い衝撃を受けたり、雪面を突き損なったりして、滑走中にグリップ１を握持する手が不意に開いてしまった際、グリップ１を握持する指同士まで大きく開いてしまうケースは少なく、従って、この挟み込み体２を挟み込む指の外側に係止する係止体３は指同士の間を抜けることは無く、常に係止体３とグリップ１とで指を保持した状態が維持されることになり、常にグリップ１を手の内側所定位置に保持しておくことができ、よって、手からグリップ１が脱落することが可及的に防止されることになる。
【００１９】
以上のように、本発明は、従来にない画期的な作用効果を発揮し、極めて商品価値の高いものになる。
【００２０】
【発明の実施の態様】
図１，２は本発明の第一実施例、図３，４は第二実施例、図５〜７は第三実施例を図示したものであり、以下に説明する。
【００２１】
第一実施例について説明する。
【００２２】
第一実施例は、グリップ１の握りを補助する付属構造であって、前記グリップ１の表面から突出し、グリップ１を握持する２本の指同士で挟み込む挟み込み体２と、この挟み込み体２に設けられ、挟み込み体２を２本の指同士で挟み込んだ際に該２本の指の外側に係止される係止体３とから成り、該係止体３と前記グリップ１とで前記挟み込み体２を挟み込んだ２本の指を保持し得るように構成されたものである。尚、本実施例は、グリップ１としてスキーで使用されるストック４を構成するポール部材５の上端部に設けられるグリップ１を採用したが、例えば釣竿、バトミントンラケット、フェンシングのサーベル、杖などのあらゆる握持するグリップに適用可能である。
【００２３】
以下、本実施例に係る構成各部について詳細な説明をする。
【００２４】
グリップ１は、適宜な合成樹脂製の部材を形成したものであり、その下端面から内部にかけてストック４を構成するポール部材５の上端部に被嵌連結する被嵌孔１ａが形成されている。
【００２５】
また、グリップ１は、その正面下方位置にしてグリップ１を握持する手の薬指と小指を掛ける位置の間には前記被嵌孔１ａに連通する孔６が形成されており、この孔６は、後述する挟み込み体２を嵌挿し得るように構成されている。
【００２６】
本実施例に係るグリップ１に設けられる付属構造は、挟み込み体２と係止体３とで構成されている。
【００２７】
具体的には、挟み込み体２は、長尺部材としての帯状部材７で構成されており、前述したグリップ１の孔６と被嵌孔１ａを通過させ、その上端部を当該グリップ１の孔６から突出状態となるように配設し、その下端部を当該グリップ１の被嵌孔１ａから突出状態となるように配設し、この状態で被嵌孔１ａをポール部材５に被嵌連結することで固定される。従って、グリップ１の孔６から突出する上端突出部位はグリップ１を握持する２本の指（薬指と小指）で挟み込むことができる。
【００２８】
尚、帯状部材７を構成する素材としては、ストラップと同様な材質としたり、或いは、適度な柔軟性を有するゴム製としたりするなど指で挟み込んだ際に違和感を感じないものが良い。
【００２９】
従って、挟み込み体２は、グリップ１の被嵌孔１ａがポール部材５に圧接状態で被嵌状態となる為、上下方向にスライド移動可能であるが、グリップ１とポール部材５との圧接により止めた箇所で保持されることになる。尚、挟み込み体２を挟む指は薬指と小指のみに限られるものではなく、他の指同士でも挟み込めるように構成しても良く、また、挟み込み体２を複数設けて、例えば薬指と小指、人差し指と中指の二箇所で挟み込む構成としても良い。
【００３０】
挟み込み体２は、その上端部に挟み込み体２を挟んだ２本の指の外側に係止される係止体３が設けられている。
【００３１】
この係止体３は、適宜な合成樹脂製の部材を円錐体状に形成したものであり、その裏面側にして中央部に前述した挟み込み体２が連結されている。また、係止体３は、この挟み込み体２を挟んだ２本の指の外側に架設状態に係止するように構成されており、係止体３の径は２本の指の間から抜けない程度の径に設定されている。
【００３２】
また、係止体３は、その表面側にして中央部に金属リング状の摘み部材８が設けられている。従って、この係止体３か摘み部材８かを摘んで挟み込み体２を引っ張ると、グリップ１の表面と係止体３との対向間隔を広げることができ、反対に、グリップ１の被嵌孔１ａから突出する環状部分２ａ（引っ張り用摘み）を引っ張ると、グリップ１の表面と係止体３との対向間隔を狭めることができ、この両者の対向間隔を狭めることで挟み込み体２を挟んだ２本の指に対する係止体３とグリップ１との強い挟持状態が得られ、手とグリップ１との一体感が生まれることになる。また、係止体３及び環状部分２ａは、挟み込み体２のグリップ１からの抜け止め機能も達成する。
【００３３】
また、グリップ１には、その上端部に環状に連結される周知構造の紐体９（ストラップ）が付設されており、このストラップ９も脱落を防止する構造として有効に機能することになる。
【００３４】
即ち、仮にこのストラップ９がない場合、グリップ１を握持する手を開いた際、グリップ１は手から離れようとしても係止体３が指の外側に係止しているため指先の方向へ移動しようとし、その結果、挟み込み体２が指先から抜けてしまう場合が考えられるが、この点、本実施例に係るグリップ１はストラップ９も具備することで、このストラップ９によりグリップ１が指先の方向へ移動することが規制されることになる為、前述した挟み込み体２及び係止体３とともに確実な脱落を防止する構造となる。但し、本実施例に係る付属構造はストラップ９が無くても十分にその機能は発揮するものである。
【００３５】
本実施例は上述のように構成したから、グリップ１を握持するに際し、ストラップ９に下方から手を通し、グリップ１から突出する挟み込み体２をグリップ１を握持する２本の指（薬指と小指）同士で挟み込むと、挟み込み体２に設けられた係止体３が当該指の外側に係止し、この係止体３とグリップ１とで挟み込み体２を挟んだ指が挟持された状態となる。尚、指で挟み込み体２を挟み込む際、グリップ１と係止体３との対向間隔を広げておいた方が挟み込み易く、挟んだ後、挟み込み体２の下端部を引っ張るようにしてグリップ１と係止体３との対向間隔を狭めるようにして、指に対する挟持を強めるようにするのが望ましい。
【００３６】
よって、本実施例によれば、強く握らなくても非常に一体感（密着感）があり、前述した従来例のような拘束感や圧迫感がなく良好な使用状態が得られ、しかも、手からグリップ１が脱落することが確実に防止できるから、一般のスキーヤーには勿論、競技や技術検定で使用するストック４として有効であり、特に、グリップ１を強く握ることのできない人、例えば身障者が使用するものとしての機能も大いに期待できる。
【００３７】
また、本実施例は、コンパクトにできるからリフトに乗る際や持ち運ぶ際などの邪魔になることはない。
【００３８】
また、本実施例は、グリップ１に対する係止体３の対向間隔を可変し得る構成の為、指（実際にはグローブを嵌めた指）の太さに合わせて調整することができ、しかも、係止体３とグリップ１との指に対する挟持度合いもユーザーの思い通りに調整することができる。
【００３９】
また、本実施例は、挟み込み体２を帯状部材７で構成したから、帯状故に指同士の間に挟み込んでも何ら違和感の無い使用が可能となる。
【００４０】
尚、本実施例の係止体３は、上記構成である為、長時間グリップを握る時の手の補助としての役割も果たすことになる。
【００４１】
次に、第二実施例について説明する。
【００４２】
第二実施例は、図３，４に図示したように係止体３の正面視形状を横長楕円形状とし、この係止体３の内面には、該係止体３により薬指と小指を挟み込んだ際、該薬指と小指が当接する凹湾曲状の溝部３ａが一対形成されており、この溝部３ａにより薬指と小指に圧迫感（違和感）が生じない。尚、係止体３の表面側にして中央部には第一実施例のような金属リング状の摘み部材８は設けられていない。
【００４３】
また、挟み込み体２は、長尺部材としての紐状部材１０で構成されており、グリップ１の孔６から突出する折り返し端部１０ａは係止体３の中央部に形成される連結孔部３ｂに係止されている。
【００４４】
また、グリップ１の被嵌孔１ａから突出状態となる紐状部材１０の下端部には該グリップ１から紐状部材１０が抜けるのを防止する抜け止め部材１１が設けられている。
【００４５】
その余は第一実施例と同様である。
【００４６】
次に、第三実施例について説明する。
【００４７】
第三実施例は、図５〜７に図示したように前述した第二実施例と同様、係止体３の正面視形状を横長楕円形状とし、この係止体３の内面には凹湾曲状の溝部３ａが一対形成されている。
【００４８】
長尺部材としての紐状部材１０は、その基端がグリップ１に固着され（紐状部材１０はグリップ１の孔６から突出）、この紐状部材１０の先端には抜け止め部材１１が設けられている。
【００４９】
係止体３の中央部には２つの連結孔部３ｂが形成されており、この連結孔部３ｂには前記紐状部材１０が嵌挿され、更に、この係止体３の前方には、紐状部材１０が嵌挿され、係止体３のスライド移動を規制するスライド規制手段（固定手段）１２が設けられている。
【００５０】
このスライド規制手段１２は、紐状部材１０に対してスライド移動させる際、摩擦力が多く生じるように構成されている。
【００５１】
また、このスライド体１２の基端には凹部１２ａが形成され、この凹部１２ａを係止体３の中央部に形成した突起３ｃに嵌合することで、係止体３の紐状部材１０に対する位置を調整することができる。即ち、係止体３を紐状部材１０の所定位置に調整した後、スライド体１２をスライドさせて係止体３と嵌合連結することで係止体３は所定位置に固定されることになる。尚、連結孔部３ｂの開口縁には前記凹部１２ａと突起３ｃが嵌合した際の紐状部材１０を逃がす逃げ凹部３ｄが形成されている。
【００５２】
従って、グリップ１の表面と係止体３との対向間隔の調整が前述した第一実施例及び第二実施例のように挟み込み体２を引っ張ることで行うのではなく、挟み込み体２に対して係止体３をスライド移動させることで行うものであり、挟み込み体２に対するスライド体１２の位置決めを行うことで調整し得るものである。尚、係止体３自体をスライド体１２のような摩擦抵抗を生じるような構造（スライド規制手段を具備する構造）としても良いが、係止体３は樹脂製故に無理にスライドさせようとすることで危惧される裂けるなどの破損の問題を考慮すると、第三実施例のように別途スライド体１２を設けた方が良い。
【００５３】
その余は第一実施例と同様である。
【図面の簡単な説明】
【図１】第一実施例を説明する側面図である。
【図２】第一実施例の使用状態説明図である。
【図３】第二実施例を説明する側面図である。
【図４】第二実施例の使用状態説明図である。
【図５】第三実施例を説明する側面図である。
【図６】第三本実施例に係る要部の説明断面図である。
【図７】第三実施例の使用状態説明図である。
【符号の説明】
１　グリップ
２　挟み込み体
３　係止体
４　ストック
５　ポール部材
【図１】
2004081821.tif 000003
【図２】
2004081821.tif 000004
【図３】
2004081821.tif 000005
【図４】
2004081821.tif 000006
【図５】
2004081821.tif 000007
【図６】
2004081821.tif 000008
【図７】
2004081821.tif 000009